(57)【要約】【課題】電池状態に応じて、通信速度を制御し、電池の寿命を延ばすことができる記録装置を提供すること。【解決手段】第１のデータ通信モード若しくは第２のデータ通信モードの何れかを選択するための選択手段と、電源供給用の電池及び電池電圧についての情報を取得する手段と、該電池電圧が予め定められた電圧より低い場合には、前記第２のデータ通信モードで通信が可能な場合でも、第１のデータ通信モードに切り替えてデータ通信を行う。【選択図】図３
2006086570.tif 000002
【特許請求の範囲】
【請求項１】
ホスト装置とのデータ通信を行うために、第１のデータ通信モードと前記第１のデータ通信モードより通信速度が高い第２のデータ通信モードを含む複数のデータ通信モードで通信する通信手段を有する記録装置であって、
前記第１のデータ通信モード若しくは前記第２のデータ通信モードの何れかを選択するための選択手段と、
電源供給用の電池及び電池電圧についての情報を取得する手段と、
該電池電圧が予め定められた電圧より低い場合には、前記第２のデータ通信モードで通信が可能な場合でも、第１のデータ通信モードに切替えてデータ通信を行う制御手段とを備えることを特徴とする記録装置。
【請求項２】
消費電力について通常モードと低消費電力モードとを有し、前記低消費電力モードの場合には、前記第２のデータ通信モードで動作が可能な場合でも、前記第１のデータ通信モードに切り替えてデータ通信を行う制御手段を有することを特徴とする請求項１記載の記録装置。
【発明の詳細な説明】
【技術分野】
【０００１】
本発明は、ホストコンピュータと記録装置とのデータ通信制御に関するもので、特にインターフェースモードが拡張された場合の接続性の向上を目的とするものである。
【背景技術】
【０００２】
例えば、ホストコンピュータと記録装置間のデータ通信に使用されるＵＳＢを一例にした場合、ＵＳＢ１．０規格或はＵＳＢ１．１規格にはＬＳモード（１．２Ｍｂｐｓ）及びＦＳモード（１２Ｍｂｐｓ）があり、記録装置が有するモードは、通信線（Ｄ＋，Ｄ−）に取り付けられた抵抗器によりハード的に設定され、何れかのモードで通信が行われている。
【０００３】
又、近年、通信速度の向上を目指してＵＳＢ２．０規格ではＬＳモード、ＦＳモードに加え、ＨＳモード（４８０Ｍｂｐｓ）が新しく設けられることにより飛躍的に通信速度の向上が図られるようになった（特許文献１）。
【０００４】
尚、ホストコンピュータがこのＨＳモードを有する場合、バスリセット中にホストコンピュータ側が特別な信号を発生し、記録装置側からの応答の有無により記録装置側でＨＳモード有するか否かをハード的に判断することにより行われ、記録装置側でＨＳモード有すると判断された場合には、以降、ＨＳモードで通信が行われるものである。
【０００５】
【特許文献１】特開２００２−１４１８０８号公報
【発明の開示】
【発明が解決しようとする課題】
【０００６】
しかしながら、従来例の説明から分かるように、ホストコンピュータ及び記録装置の双方がＨＳモードを有する場合に、ハード的にＨＳモードでの通信が選択されるため下記の課題があった。
【０００７】
即ち、ＨＳモードは４８０Ｍｂｐｓという高速であるため、ＦＳモード／ＬＳモードに比較し、消費電力が大きく（例えば、ＦＳモードでは数ｍＡ以下、ＨＳモードでは１００ｍＡ〜２００ｍＡ）、電池駆動時或は低消費電力モード時等の消費電力を少なくしたい場合でも消費電力が大きくなってしまうという問題があった。
【０００８】
本発明は上記問題に鑑みてなされたもので、その目的とする処は、消費電力を低減して電池寿命を延ばすことができる記録装置を提供することにある。
【課題を解決するための手段】
【０００９】
上記目的を達成するため、本発明は、ホスト装置とのデータ通信を行うために、第１のデータ通信モードと前記第１のデータ通信モードより通信速度が高い第２のデータ通信モードを含む複数のデータ通信モードで通信する通信手段を有する記録装置であって、前記第１のデータ通信モード若しくは前記第２のデータ通信モードの何れかを選択するための選択手段と、電源供給用の電池及び電池電圧についての情報を取得する手段と、該電池電圧が予め定められた電圧より低い場合には、前記第２のデータ通信モードで通信が可能な場合でも、第１のデータ通信モードに切替えてデータ通信を行う制御手段とを備えることを特徴とする。
【発明の効果】
【００１０】
本発明によれば、電池電圧のレベルに応じて通信速度を切り替ることができるため、電池寿命を延ばすことができる。装置の状態に応じて通信速度を切り替ることで、消費電力の低減が実現できる。
【発明を実施するための最良の形態】
【００１１】
以下に本発明の実施の形態を添付図面に基づいて説明する。
【００１２】
＜実施の形態１＞
図１は従来例でも説明した記録装置内部に実装されるＵＳＢ通信部の概略図であり、ＦＳモード及びＨＳモードを有している。
【００１３】
ＦＳ制御部は、１２Ｍｂｐｓでの通信を行うための制御部でＢ１，Ｂ２を介してデータの通信を行う。ＨＳ制御部は、４８０Ｍｂｐｓでの通信を行うための制御部でＢ３，Ｂ４を介してデータの通信を行う。ＲＰＵは、記録装置内部に実装されるＵＳＢ通信部がＦＳモードを有していることをホストコンピュータに認識させるためのプルアップ抵抗であり、Ｂ５によりオン／オフが可能である。
【００１４】
ＡＭＰは、ホストコンピュータからの差動受信データを検出するための差動アンプ、ＶＢＵＳは、ホストコンピュータからの＋５Ｖ入力であり、動作用電源として、或はホストコンピュータが接続されたことを検出ための信号として使用される。
【００１５】
図２は本ＵＳＢ通信部がＦＳモード、或はＨＳモードの何れかで動作すべきか判断するための手順を示す図である。
【００１６】
即ち、記録装置側でＢＵＳＲＥＳＥＴ状態を確認後、図２（Ａ）では記録装置側がＤ−を駆動し（図のＫ状態）、ホスト側がＤ−を駆動、Ｄ＋を駆動（図のＪ状態）を交互に繰り返すことにより、記録装置側及びホスト側でＨＳモードを有することを確認し、その後、ＨＳモードに切り替える。
【００１７】
図２（Ｂ）では、記録装置側がＤ−を駆動し（図のＫ状態）しているが、ホスト側はＨＳモードを有していないため、何も駆動することはなくＦＳモードで動作する。
【００１８】
即ち、この手順から明らかなように、記録装置及びホストコンピュータの双方がＨＳモードを有しているときには必ずＨＳモードで動作するものである。
【００１９】
しかしながら、前述の従来例の課題で説明したように、電池電圧の低い状態（電池の消耗した状態）でも、常に高速通信モードであるＨＳモードで通信を行うため、消費電力の大きい状態で通信が行われる。
【００２０】
以下、通信モードとして高速モードであるＨＳモードと、低速であるＦＳモードを有する記録装置を例に、本発明によるこの課題を解決する手順を図３を用い説明する。
Ｓ１：例えば、記録装置の状態を確認するためにホストコンピュータが一定の時間間隔で確認する機能のあるものでは、これをトリガに電池電圧２の状態をＡＤ変換部３により確認する。
Ｓ２：電池電圧が予め設定された電圧より高い場合にはＳ４に進み、設定された電圧以下の場合にはＳ３に進む。
Ｓ３：電池電圧が設定された電圧以下と判断されたため、消費電力の多い高速モードであるＨＳモードの禁止を設定する。
Ｓ４：電池電圧が設定された電圧より高いと判断されたため、消費電力の多い高速モードであるＨＳモードでの動作を許可する。
Ｓ５：現在の通信モードの確認を行い、ＦＳモードであれば通信モードの変更は不要であるため処理を終了し、ＨＳモードであればＳ７に進む。
Ｓ６：現在の通信モードの確認を行い、ＨＳモードであれば通信モードの変更は不要であるため処理を終了し、ＦＳモードであればＳ７に進む。
Ｓ７：ＢＵＳＲＥＳＥＴを発生し、Ｓ２以降を繰り返す。
【００２１】
以上説明したように、電池電圧の低いときは低速モードで、又、電池電圧が高いときには高速モードへと転送モードを切り替えることができるため、電池寿命を延ばすことができる。
【００２２】
＜実施の形態２＞
記録装置の種類によっては電源ＳＷをオフにした状態でも、ホストコンピュータに対しては動作可能状態（即ち、インターフェースが動作可能な状態にある）であるようにして、ホストコンピュータが一定の時間間隔で確認することができるものがある。
【００２３】
本実施の形態では、電源ＳＷをオフにすると消費電力を少なくするためには、低速動作モードであるＦＳモードで動作するようにしたものであり、これの手順を説明した図が図４である。
Ｓ１１：電源ＳＷがオンかオフかによって、オフであればＳ１２へ、オンであればＳ１３へ移行する。
【００２４】
以下、実施の形態１と同様に処理を行う
尚、一定時間印字を行わない所謂スタンバイモード等でも同様に処理することができる。
【図面の簡単な説明】
【００２５】
【図１】本発明に係る記録装置の通信部を説明する図である。
【図２】本発明の実施の形態１による動作を説明する図である。
【図３】本発明の実施の形態１による動作手順を説明する図である。
【図４】本発明の実施の形態２による動作手順を説明する図である。
【符号の説明】
【００２６】
１    ＵＳＢ通信部
２    駆動用電池
３    電圧モニタ用ＡＤ変換部
４    ＨＳモード禁止設定部
【図１】
2006086570.tif 000003
【図２】
2006086570.tif 000004
【図３】
2006086570.tif 000005
【図４】
2006086570.tif 000006